(57)【要約】【課題】カートリッジに収納された記録媒体において、記録媒体の取り出し口のカバーが開けられたことを示す開放履歴を簡単に消去できるので、一端取り出された汚れのついた記録媒体への記録をしてしまい、高精度な記録動作が行われない場合があった。【解決手段】カートリッジケースと、このカートリッジケース内に設けたディスクとを備え、前記カートリッジケースは、情報書き込み口とディスク取り出し口を有し、前記ディスク取り出し口をカバーで開閉自在に覆うと共に、前記ディスク取り出し口の内部近傍にはカバーの開閉動作の履歴を残す変位体を設けた記録媒体と、それを用いた情報記録装置により解決した。【選択図】図１１
2010003379.tif 000002
【特許請求の範囲】
【請求項１】
カートリッジケースと、このカートリッジケース内に設けたディスクとを備え、前記カートリッジケースは、情報書き込み口とディスク取り出し口を有し、前記ディスク取り出し口をカバーで開閉自在に覆うと共に、前記ディスク取り出し口の内部近傍にはカバーの開閉動作の履歴を残す変位体を設けた記録媒体。
【請求項２】
前記変位体は、カバー開放後の再閉成時にカバーの開放履歴を残す構成とした請求項１に記載の記録媒体。
【請求項３】
前記変位体は、前記カートリッジケース内において、カバーの開閉方向に摺動するスライダーと、前記スライダーに取り付けた位置検出体により構成した請求項２に記載の記録媒体。
【請求項４】
前記スライダーのカバー側の端部は、前記ディスク側に付勢した請求項３に記載の記録媒体。
【請求項５】
前記スライダーのカバーとは反対側の端部に、このスライダーがカバーで押圧された時に収縮する弾性体を設けた請求項４に記載の記録媒体。
【請求項６】
前記位置検出体は磁性体により構成した請求項３から５のいずれかひとつに記載の記録媒体。
【請求項７】
請求項１から６のいずれかひとつに記載の記録媒体の装着部と、この装着部に装着された記録媒体への情報書き込み手段と、前記装着部に記録媒体が装着された状態で、この記録媒体の前記位置検出体を確認する確認手段とを備え、前記確認手段で前記位置検出体が示すカバーの開放履歴を確認した時は、前記記録手段による前記記録媒体への書き込み動作を禁止する禁止手段を設けた情報記録装置。
【発明の詳細な説明】
【技術分野】
【０００１】
本発明はカードケース内にディスクを収納させた記録媒体と、それを用いた情報記録装置に関するものである。
【背景技術】
【０００２】
この種の記録媒体としては、例えばＤＶＤ−ＲＡＭといわれるものがある。このＤＶＤ−ＲＡＭはその記憶容量が極めて高いことから、各種記録メディアとして広く活用されている。
【０００３】
この記録媒体は、カートリッジケースの中にディスクを収納させているが、その理由はこのディスクの記憶容量が高いことに起因している。すなわちこのディスクは１枚のＤＶＤできたものであって、非常に記憶容量が高いことから緻密な記憶ができるが、その反面、そのディスクの表面が汚れると大変大きな書き込み不良が生じてしまう。そこで、そのディスクはカートリッジケースに収納させている。
【特許文献１】特開平１０−１４９６５８号公報
【発明の開示】
【発明が解決しようとする課題】
【０００４】
上記従来例において、カートリッジケースはディスクを取り出すためのカバーが開閉自在に設けられている。すなわち記録したディスクを一般の再生機器で再生しようとする場合はカートリッジケースからディスクを取り出して再生しなければならない。
【０００５】
しかし、一旦このようにケースから取り出したディスクは汚れているので、これを再びケースの中に収納させて高密度な記録動作をしようとすると、記録にミスがでてしまう。
【０００６】
そこで、一旦取り出したディスクが再びカートリッジケース内に収納されて高密度記録が行われるのを避けるために、カートリッジケースに開口部を設けて、一旦カバーを開放してディスクを取り出すと、その開口部が穴あき状態となるようにしている。
したがって、情報記録装置がこのカートリッジケースの穴あき状態を検出して、一旦カートリッジケースから取り出されたディスクが再装填されたと判断し、書き込み動作を行わないようにしている。
【０００７】
しかしながら、このような再装填後のディスクへの書き込みを防止するための開口部は、ケースの外部から、例えばテープを貼れば、それを覆ってしまうことが簡単にできるので、つまり開放履歴を簡単に消去できるので、一旦取り出されたものであっても書き込み動作が行われ、その結果、汚れたディスクを用いているのであるから、高精度な書き込みが行われないものであった。
【０００８】
そこで、本発明は、カートリッジケースからディスクが取り出された後は、この取り出されたディスクへの書き込みが行えないようにするために、使用者に対して、簡単に開放履歴を消去できなくすることによって、高精度の書き込みが行えるようにすることを目的とする。
【課題を解決するための手段】
【０００９】
そして、この目的を達成するために、本発明の記録媒体は、カートリッジケースと、このカートリッジケース内に設けたディスクとを備え、前記カートリッジケースは、情報書き込み口とディスク取り出し口を有し、前記ディスク取り出し口をカバーで開閉自在に覆うと共に、前記ディスク取り出し口の内部近傍にはカバーの開閉動作の履歴を残す変位体を設けた記録媒体としている。
【００１０】
さらに、前記変位体はカバー開放後の再閉成時にカバーの開放履歴を残す構成とした記録媒体としている。
【００１１】
さらに、変位体はカートリッジケース内において、カバーの開閉方向に摺動するスライダーと、前記スライダーに取り付けた位置検出体により構成した記録媒体としている。
【００１２】
さらに、スライダーのカバー側の端部はディスク側に付勢した記録媒体としている。
【００１３】
さらに、前記スライダーのカバーとは反対側の端部にはこのスライダーがカバーで押圧された時に収縮するバネ体を設けた記録媒体としている。
【００１４】
さらに、位置検出体は磁石により構成した記録媒体としている。
【００１５】
また、上記記録媒体の装着部とこの装着に装着された記録媒体への情報書き込み手段と、前記装着部に記録媒体が装着された状態で、この記録媒体の位置検出体を確認する確認手段とを備え、前記確認手段で位置検出体が示すカバーの開放履歴を確認した時は、前記記録手段による記録媒体への書き込み動作を禁止する禁止手段を設けた情報記録装置とし、初期の目的を達成するものである
【発明の効果】
【００１６】
以上のように本発明は、カートリッジケースと、このカートリッジケース内に設けたディスクとを備え、前記カートリッジケースは、情報書き込み口とディスク取り出し口を有し、前記ディスク取り出し口をカバーで開閉自在に覆うと共に、前記ディスク取り出し口の内部近傍にはカバーの開閉動作の履歴を残す変位体を設けた記録媒体としたものであり、これによれば、一旦カートリッジケースから取り出されたディスクへの書き込み動作が確実に防止できて、高精度な書き込みを行うことの保障ができる。
【００１７】
すなわち、本発明においては、カートリッジケースの内部に検知体を設けているので、この検知体をカートリッジケースの外部から触れることはできない。すなわち、カバーの開放履歴を消しさることができないので、一旦取り出されて再装填されたディスクへの書き込みが行われず、よって、ディスクに対する高精度な書き込みが保障できるのである。
【発明を実施するための最良の形態】
【００１８】
以下、本発明の実施の形態を医療用の記録媒体および医療用の情報記録装置として、添付図面を元に説明する。
【００１９】
図１において、情報記録装置１に対して、記録媒体６をトレイ５に装着した状態の図を示す。
【００２０】
図１において、１は情報記録装置で、この情報記録装置はディスクの回転駆動部２と情報の書き込み読み取りヘッド３とを備え、また、その前方開口部４からは前方に向けてトレイ５が排出できるように設けられている。この図１においてはトレイ５上に記録媒体６が装着された状態を示している。
【００２１】
図２はこのトレイ５に記録媒体６を装着した状態でトレイを奥に押し込んだ状態を示している。
【００２２】
この状態では、第１のカバー１１が横方向にスライドして開き、図２に示す記録媒体６のディスク７を回転駆動部２により回転駆動して、書き込み読み取りヘッド３によって医療情報を書き込むことが可能になる。あるいは書き込まれたものを読み取るようになっている。
【００２３】
図３に情報記録装置１、ならびに記録媒体６の分解斜視図を示す。
【００２４】
記録媒体６は上下に分割された上板８ａと下板８ｂとを上下に重ねることによって形成したカートリッジケース８と、このカートリッジケース８内に回転自在に収納した前記ディスク７で構成されている。
【００２５】
また、カートリッジケース８の前端側には第１のカバー９が開閉自在に設けられている。
【００２６】
また、カートリッジケース８の下面には情報書き込み口１０が設けられている。
【００２７】
情報書き込み口１０は第２のカバー１１で開閉自在に覆われているが、カートリッジケースが図２の如く情報記録装置１に収納された状態においては、この第２のカバー１１は図２の如く横方向にスライドさせられ、その結果として情報書き込み口１０が開放し、この情報書き込み口１０のところに、ヘッド３が対応し、ヘッド３によりディスク７に対する情報の書き込みと読み取りが行われるようになっている。
【００２８】
第１のカバー９は板状で、図３における右端側が軸１２によりカートリッジケースに軸支されており、左端側が遊端となっている。第１のカバー９の遊端部分およびカートリッジケース８の開口部は図６に示している。
【００２９】
図４に磁気記録媒体６の分解斜視図を示す。
【００３０】
図５は第１のカバー９が一度も開けられたことがない状態を示している。
【００３１】
また図６は、図５の円で囲んだ部分の拡大図である。
【００３２】
カートリッジケースの開口部の第１のカバー９に対応する遊端には、係合部１４が設けられている。係合部１４に対応する第１のカバー９の遊端側には、弾性変形する係合片１３が設けられている。すなわち係合部１４は第１のカバー９の遊端側に設けた開口部１５を設けることによって、この開口部１５を結ぶ係合部１４は係合片１３に押されて簡単に係合する。したがって、この第１のカバー９を装着した状態においては、この係合片１３が係合することによって、第１のカバー９により蓋をされることになる。
【００３３】
最初に記録媒体を作成する場合は、下ケースのところに第１のカバー９を装着して、下ケースの状態でディスクを入れて閉める。この状態で上から被せる。このとき重要なのが、係合片１３の奥のところにスライダー１６を設けている。スライダー１６の第１のカバー９側の端部は、係合部１４で押しておく。つまり、第１のカバー９の遊端側というのは、ディスク側に傾けた傾斜片１７を設けて、この傾斜片１７を第１のカバー９で押した状態でセットする。すなわち、傾斜片１７は、この状態では、ディスク側方向２３に付勢した状態になっている。この状態で蓋をする。
【００３４】
図７は、第１のカバー９が開かれた状態で、第１のカバー９の遊端側で押されていた傾斜片１７がディスク側へ傾いた状態を表す。
【００３５】
図８は、図７の円で囲んだ部分の拡大図である。
【００３６】
第１のカバー９を開けることで、カートリッジケース８のからディスクを取り出すことができる。取り出したディスクを別の再生機器で見ることができる。このディスクを戻して、図１１の如く元に戻すこともできる。
【００３７】
図９は、一度開いた第１のカバー９を再び閉じようとした場合の図である。
【００３８】
図１０は、図９の円で囲んだ部分の拡大図である。
【００３９】
図１１は、一度開いた第１のカバー９を再び閉じた場合の図である。
【００４０】
図１２は、図１１の円で囲んだ部分の拡大図である。
【００４１】
再び戻すときには、傾斜片１７がディスク側に傾いた状態で第1のカバー９が閉じられることになるため、第１のカバー９の遊端側で、傾斜片１７が奥の方に押されるので、スライダー１６も奥の方向２４に移動することになる。すなわち、スライダー１６は、この第１のカバー９の開閉方向に、スライドする方向に移動するようになっており、第１のカバー９とは反対側の端部に、バネ材を設けているので、通常時は図３の如く、傾斜片１７が押された状態である。
【００４２】
第１のカバー９を閉めると、弾性体が圧縮される結果、スライダー１６は、奥の方向２４へ移動することになる。
【００４３】
スライダー１６には、その中央部分に、永久磁石１９が装着してあり、したがって、第１のカバー９を締め切った状態では永久磁石１９が奥の方向２４に移動しきってしまう。この移動しきった状態では、第１のカバー９が一旦開放されて、その後第１のカバー９が閉められた状態である。すなわち、ディスクが一旦取り出された後に再挿入されたことが検知されている状態になっている。
【００４４】
情報記録装置１の方には、磁気センサ１８が設けられており、図２のように装着された状態においては、磁気センサ１８の検出位置よりも、奥の方向２４側に永久磁石１９が移動してしまう。
【００４５】
この状態においては、情報記録装置１は、取り出されたことのあるディスク状態であると認識し、すなわち、医療現場において、一旦取り出されて汚れてしまった可能性の高いディスクであると認識する。この状態のディスクにおいては、検診者の検診情報が正しく記録されない可能性が生じる。
【００４６】
例えば、ありもしない影が見える状態で情報記録される。
【００４７】
それによって、正しい検診が行われない可能性があるので、避けなければならない状態である。
【００４８】
したがって、本実施形態においては、上述の如く、一旦、第１のカバー９が開放された状態のものが装着されたときには、ディスクが取り出されて汚れた可能性のある状態だと判断して、情報記録を行わないようにする。
【００４９】
すなわち、このような医療現場においては、きわめて高精度な情報記録が望まれているものである。
【００５０】
図１３は、以上のような動作を行う機器のブロック図を示している。すなわち、情報記録装置１においては、ヘッド３や回転駆動部２や検出部２１が制御部２０に接続されているものである。
【産業上の利用可能性】
【００５１】
本発明にかかる記録媒体とそれを用いた情報記録装置は、一旦カートリッジケースから取り出されたディスクへの書き込み動作が確実に防止できて、高精度な書き込みを行うことの保障ができる効果を有し、情報記録装置等の分野に有用である。
【図面の簡単な説明】
【００５２】
【図１】本発明の記録媒体と情報記録装置を示す図
【図２】記録媒体が情報記録装置に収納された状態を示す図
【図３】本発明の記録媒体の分解図と情報記録装置を示す図
【図４】本発明の記録媒体の分解図
【図５】記録媒体のカバーが一度も開けられたことがない状態を示す図
【図６】図５のカバーの係合部を拡大した図
【図７】記録媒体のカバーが開けられた状態を示す図
【図８】図７のカバーの係合部を拡大した図
【図９】記録媒体のカバーを閉めようとしている状態を示す図
【図１０】図９のカバーの係合部を拡大した図
【図１１】記録媒体のカバーが閉められた状態を示す図
【図１２】図１１のカバーの係合部を拡大した図
【図１３】本発明の情報記録装置の機能ブロック図を示す図
【符号の説明】
【００５３】
１    情報記録装置
２    回転駆動部
３    情報の書き込み読み取りヘッド
４    前方開口部
５    トレイ
６    記録媒体
７    ディスク
８    カートリッジケース
８ａ  上板
８ｂ  下板
９    第１のカバー
１０  情報書き込み口
１１  第２のカバー
１２  軸
１３  係合片
１４  係合部
１５  開口部
１６  スライダー
１７  傾斜片
１８  磁気センサ
１９  永久磁石
２０  制御部
２１  検出部
２２  位置検出体
２３  ディスク側方向
２４  奥の方向
２５  バネ  
２６，２７  スライダー
【図１】
2010003379.tif 000003
【図２】
2010003379.tif 000004
【図３】
2010003379.tif 000005
【図４】
2010003379.tif 000006
【図５】
2010003379.tif 000007
【図６】
2010003379.tif 000008
【図７】
2010003379.tif 000009
【図８】
2010003379.tif 000010
【図９】
2010003379.tif 000011
【図１０】
2010003379.tif 000012
【図１１】
2010003379.tif 000013
【図１２】
2010003379.tif 000014
【図１３】
2010003379.tif 000015